(57)【特許請求の範囲】
【請求項１】
可撓性を有する長尺物を巻回して中央開口部をなすドーナツ状とした長尺束に対し、前記長尺束の前記中央開口部の内側から前記長尺物を順次引出すための長尺物引出し装置であって、
中心軸を立設した基台部と、前記基台部の上方に配設され前記中心軸を挿通自在とする軸挿通孔を形成した収容部と、
前記基台部と前記収容部との間に配設され、前記収容部を前記中心軸周りに水平回動自在とする回動機構部と、からなり、
前記収容部には、前記長尺束を載置自在とする載置部と、前記長尺束の前記中央開口部を挿通自在で前記軸挿通孔が鉛直方向に貫通した巻回柱と、を備え、
前記載置部は、前記巻回柱側へ折り畳み自在に形成し、
前記巻回柱は、上方縮小の略円錐台状に形成した巻回案内部と、その縮小した上部から上方外側に傾斜して拡開した抜け止め部と、からなることを特徴とする長尺物引出し装置。
【請求項２】
前記抜け止め部は、前記巻回案内部の縮小した上部から上方外側に傾斜して拡開した括れ防止部と、前記括れ防止部の上部から更に外側で略水平に拡開した平坦部と、からなることを特徴とする請求項１に記載の長尺物引出し装置。
【請求項３】
前記括れ防止部は、凹状の湾曲面としたことを特徴とする請求項２に記載の長尺物引出し装置。
【請求項４】
前記抜け止め部の略水平方向外側には、前記中心軸周りに水平回動自在に形成した引出しガイド部が備える長尺物挿通孔が位置するよう構成したことを特徴とする請求項１乃至３の何れか１項に記載の長尺物引出し装置。
【請求項５】
前記中心軸に対して鉛直方向に間隙を空けて複数の長尺物引出し装置を水平回動自在に配設したことを特徴とする請求項１乃至４の何れか１項に記載の長尺物引出し装置。
【請求項６】
天板と一以上の脚部とからなるテーブル部を備え、前記テーブル部は、前記脚部の一部を前記中心軸の上端に係合する係合脚部としたことを特徴とする請求項１乃至５の何れか１項に記載の長尺物引出し装置。
【発明の詳細な説明】
【技術分野】
【０００１】
本発明は、可撓性を有するケーブルや電線、電線管、配管等の長尺物を巻回してドーナツ状とした長尺束の内側から長尺物を如何なる方向にも順次容易に引出せる長尺物引出し装置に関する。
【背景技術】
【０００２】
従来、電気工事等で使用される長尺物であるケーブルや電線等の長尺束は、ドーナツ状に複数巻回されフィルム等で被覆された状態、いわゆるシュリンク包装された状態や、シュリンク包装された長尺束を矩形箱状の段ボール箱内に収納して流通させ、施工時には段ボール箱から取り出し、更にはフィルムを剥がした状態でそのまま、もしくは何らかの装置に装着して長尺物を引き出していた。
【０００３】
しかしながら、フィルムを剥がした長尺束を一回の作業で全て使い切るのであればいいが、長尺物の引き出し作業に伴ってドーナツ状の外形は大きく崩れるため、残った長尺物を回収して再び使用するには運搬や収納に支障がない程度に作業者が巻回し直す等の作業が必要となっていた。
【０００４】
そのため、例えば、特許文献１に記載のリール台を用いることでシュリンク包装のフィルムを剥がすことなく長尺束の中央開口部の内側から長尺物を引き出すことができる技術が開示されている。
【０００５】
具体的には、長尺物を引き出す際に長尺束を載置するリール載置板上に固定された４つのスタッドの何れかに当接させて長尺物を引き出すことで長尺物とスタッドとの摩擦力により長尺束が載置された脚部上のリール載置板を回転させスムーズな引出しとなることを予定している。
【０００６】
しかしながら、特許文献１に記載のスタッドは鋼棒を屈曲して形成しているため長尺物とスタッドとは点接触となり、その摩擦力だけではリール載置板の十分な回転には至らないため、長尺物を引き出す力が長尺束に直接印加されリール載置板上で長尺束全体が不規則に移動しつつ同時に内側の長尺物も大きく崩れてしまい長尺物同士の絡まりも生じやすくなり、結果としてスムーズな引出しが望めないばかりかシュリンク包装内での長尺物の崩れにより、使用後に定形のシュリンク包装の状態のままリール台から取り外すことができず、結局は運搬や収納に支障がない程度に作業者が巻回し直す等の作業が必要となってしまう。
【０００７】
このように長尺物を引き出す力が長尺束に直接印加されないようにした技術が、例えば、特許文献２に開示されており、当該技術に係る電線収納供給器は、長尺束の中央開口部の内側から長尺物を引き出す際に電線載置台の中央に形成された先細の六角錐状の芯体に長尺物を巻き付けることで長尺物と芯体との接触面積を拡大させて摩擦力を増加させ、基体の中心に立設した支軸周りに長尺束が載置された電線載置台を回転させることでスムーズな引出しを可能としている。
【０００８】
また、特許文献２に記載の電線収納供給器では、芯体の上端に円板状のフランジを形成して長尺物の芯体からの離脱を防止すると共に、長尺物を引き出すための孔を基体に穿設している。
【先行技術文献】
【特許文献】
【０００９】
【特許文献１】特開平８−８１１２５号公報
【特許文献２】実開昭５５−１６３７３１号公報
【発明の概要】
【発明が解決しようとする課題】
【００１０】
特許文献１に係るリール台は、上述の通り長尺物を引き出す力が長尺束に直接印加されるためスムーズな引出しが望めず、更に、シュリンク包装内での長尺物の崩れも生じ、しかも、長尺物のスタッドからの離脱を防止する機構が無いためスタッドの高さよりも上方に長尺物を引き出すことができず使い勝手が悪いという問題を有している。
【００１１】
これに対して特許文献２に係る電線収納供給器は、これらの諸問題がある程度改善され長尺束から長尺物を引き出す装置として一定の効果を奏する点で優れているが、長尺物の外径や引出す速度によっては芯体の上端とフランジとの鋭角な間隙に長尺物が挟まりやすくスムーズな引出しを阻害する要因の一つとなっている。
【００１２】
また、基体に穿設された長尺物を引き出すための孔が基体に固定されているため、当該孔と異なる方向に長尺物を引き出そうとすると電線収納供給器の向きをその都度移動させる必要があり、使い勝手が悪いという問題を有している。
【００１３】
本発明は、以上のような事情に鑑みてなされたものであり、可撓性を有するケーブルや電線、電線管、配管等の長尺物を巻回してドーナツ状とした長尺束の内側から長尺物を如何なる方向にも順次容易に引出せる長尺物引出し装置を提供することにある。
【課題を解決するための手段】
【００１４】
以上のような目的を達成するために、本発明は以下のようなものを提供する。
【００１５】
請求項１に係る発明では、可撓性を有する長尺物を巻回して中央開口部をなすドーナツ状とした長尺束に対し、前記長尺束の前記中央開口部の内側から前記長尺物を順次引出すための長尺物引出し装置であって、中心軸を立設した基台部と、前記基台部の上方に配設され前記中心軸を挿通自在とする軸挿通孔を形成した収容部と、前記基台部と前記収容部との間に配設され、前記収容部を前記中心軸周りに水平回動自在とする回動機構部と、からなり、前記収容部には、前記長尺束を載置自在とする載置部と、前記長尺束の前記中央開口部を挿通自在で前記軸挿通孔が鉛直方向に貫通した巻回柱と、を備え、前記載置部は、前記巻回柱側へ折り畳み自在に形成し、前記巻回柱は、上方縮小の略円錐台状に形成した巻回案内部と、その縮小した上部から上方外側に傾斜して拡開した抜け止め部と、からなることを特徴とする長尺物引出し装置を提供せんとする。
【００１６】
請求項２に係る発明では、前記抜け止め部は、前記巻回案内部の縮小した上部から上方外側に傾斜して拡開した括れ防止部と、前記括れ防止部の上部から更に外側で略水平に拡開した平坦部と、からなることを特徴とする請求項１に記載の長尺物引出し装置を提供せんとする。
【００１７】
請求項３に係る発明では、前記括れ防止部は、凹状の湾曲面としたことを特徴とする請求項２に記載の長尺物引出し装置を提供せんとする。
【００１８】
請求項４に係る発明では、前記抜け止め部の略水平方向外側には、前記中心軸周りに水平回動自在に形成した引出しガイド部が備える長尺物挿通孔が位置するよう構成したことを特徴とする請求項１乃至３の何れか１項に記載の長尺物引出し装置を提供せんとする。
【００１９】
請求項５に係る発明では、前記中心軸に対して鉛直方向に間隙を空けて複数の長尺物引出し装置を水平回動自在に配設したことを特徴とする請求項１乃至４の何れか１項に記載の長尺物引出し装置を提供せんとする。
【００２１】
請求項６に係る発明では、天板と一以上の脚部とからなるテーブル部を備え、前記テーブル部は、前記脚部の一部を前記中心軸の上端に係合する係合脚部としたことを特徴とする請求項１乃至５の何れか１項に記載の長尺物引出し装置を提供せんとする。
【発明の効果】
【００２３】
請求項１記載の発明によれば、長尺束の中央開口部の内側から長尺物を順次引出すための長尺物引出し装置であって、中心軸を立設した基台部と、基台部の上方に配設され中心軸を挿通自在とする軸挿通孔を形成した収容部と、基台部と収容部との間に配設され、収容部を中心軸周りに水平回動自在とする回動機構部と、からなり、収容部には、長尺束を載置自在とする載置部と、長尺束の中央開口部を挿通自在で軸挿通孔が鉛直方向に貫通した巻回柱と、を備え、載置部は、巻回柱側へ折り畳み自在に形成し、巻回柱は、上方縮小の略円錐台状に形成した巻回案内部と、その縮小した上部から上方外側に傾斜して拡開した抜け止め部と、からなることより、長尺束の内側から長尺物を引き出す際、長尺束に負荷を掛けることなく長尺物が巻回柱の上方に向かって順次巻回案内部に巻き付きながら引き出されるため絡まることなく容易に引き出すことができる。
【００２４】
また、長尺物の引き出し操作を止めた際でも、巻回案内部の上方に巻回する外観視で小径の円環状を維持した長尺物がそれよりも大径の下方の巻回案内部に向かって若干下降することで長尺物と巻回柱との間で摩擦力が生じ収容部の回転にブレーキを掛けることになるため、巻回する長尺物の緩みを可及的に防止することができる。
【００２５】
また、使用後でもドーナツ状の長尺束が定形を維持するためシュリンク包装のまま長尺物引出し装置から取り外すことができるので、運搬や収納のための巻き直し作業が不要となり、更に、次回使用時にそのまま使用することができる。
【００２６】
また、シュリンク包装の外箱である矩形箱状の段ボール箱の上下中央部近傍に孔を穿設すれば、段ボール箱のまま長尺物引出し装置に装着することもでき、更に、未使用の際の収容時の嵩張りを防止でき、また、中心軸に沿って鉛直方向に複数の長尺物引出し装置を配設して使用する場合、載置部を折り畳んだ長尺物引出し装置の平面外径が長尺束の中央開口部の内径よりも小さく形成していれば、鉛直方向に複数の長尺物引出し装置を配設した後、長尺束を上方から挿通させて下方の長尺物引出し装置から順次上方にかけて長尺束を装着することができるので準備時間の大幅な削減を行うことができる。
【００２７】
しかも、巻回案内部の上部から上方外側に傾斜して拡開した抜け止め部により、長尺物が当該部位に挟まることがないので長尺物の外径や引出す速度によらず常に安定して容易に長尺物を引き出すことができるばかりか、如何なる方向に対しても長尺物を引き出すことができる。
【００２８】
請求項２記載の発明によれば、抜け止め部は、巻回案内部の縮小した上部から上方外側に傾斜して拡開した括れ防止部と、括れ防止部の上部から更に外側で略水平に拡開した平坦部と、からなることより、当該部位への長尺物の挟まりを防止できるだけでなく離脱することなく巻回柱よりも上方に長尺物を安定して引き出すことができる。
【００２９】
請求項３記載の発明によれば、括れ防止部は、凹状の湾曲面としたことより、当該部位での長尺物と巻回案内部との接触面積が増加し巻回柱との馴染みも良くなるため、長尺物を引き出す際の摩擦力を巻回柱に伝播し易くなり収容部のよりスムーズな回転に寄与することができる。
【００３０】
また、湾曲面とすることで長尺物を引き出す際に局所的で過大な負荷を与えないため長尺物の損傷を防止することができる。
【００３１】
請求項４記載の発明によれば、抜け止め部の略水平方向外側には、中心軸周りに水平回動自在に形成した引出しガイド部が備える長尺物挿通孔が位置するよう構成したことより、途中で長尺物の引出しを中断しても巻回柱の上部で長尺物を待機させることができるので、長尺物と巻回柱との間の巻回力が緩んで長尺物が下降することがないため長尺物の引出しを再開しても長尺物と巻回柱との間の巻回力を維持したままスムーズな引出しを行うことができる。
【００３２】
また、離脱することなく巻回柱よりも上方に長尺物を確実に安定して引き出すことができ、更に、如何なる方向に対しても長尺物を確実に安定して引き出すことができる。
【００３３】
請求項５記載の発明によれば、中心軸に対して鉛直方向に間隙を空けて複数の長尺物引出し装置を水平回動自在に配設したことより、作業で必要な複数種類の長尺物を各々装着することで各長尺物をそれぞれ如何なる方向にも順次容易に引出することができるため作業性を大幅に向上させることができる。
【００３５】
請求項６記載の発明によれば、天板と一以上の脚部とからなるテーブル部を備え、テーブル部は、脚部の一部を中心軸の上端に係合する係合脚部としたことより、配線図等の作業時に必要な資料等を天板に載置することができるので新たな作業スペースを別途に準備することなく容易に作業スペースを確保することができる。
【図面の簡単な説明】
【００３７】
【図１】本実施形態に係る長尺物引出し装置を複数配設した斜視説明図である。
【図２】本実施形態に係る長尺物引出し装置の簡易分解斜視説明図である。
【図３】本実施形態に係る長尺物引出し装置の断面図である。
【図４】本実施形態に係る長尺物引出し装置の簡易分解斜視説明図である。
【図５】本実施形態に係る長尺物引出し装置の断面図である。
【図６】本実施形態に係る長尺物引出し装置の側面図である。
【図７】（ａ）は長尺物が手前に引き出される様子を示す簡易平面図で、（ｂ）は長尺物が右側に引き出される様子を示す簡易平面図である。
【図８】本実施形態に係る長尺物引出し装置を二段とした際の簡易分解斜視説明図である。
【図９】本実施形態に係る長尺物引出し装置を複数配設した斜視説明図である。
【図１０】本実施形態に係る長尺物引出し装置を複数配設して長尺束を装着した様子を示す斜視説明図である。
【図１１】本実施形態に係る長尺物引出し装置を複数配設して長尺束を装着した様子を示す断面図である。
【図１２】複数配設した本実施形態に係る長尺物引出し装置の簡易分解の様子とテーブル部を示す側面図である。
【図１３】本実施形態に係る長尺物引出し装置を複数配設して上部にテーブル部を配設した様子を示す斜視説明図である。
【図１４】本実施形態に係る長尺物引出し装置を複数配設して上部にテーブル部を配設した様子を示す斜視説明図である。
【発明を実施するための形態】
【００３８】
本発明に係る長尺物引出し装置の要旨は、長尺束の中央開口部の内側から長尺物を順次引出すための長尺物引出し装置であって、中心軸を立設した基台部と、基台部の上方に配設され中心軸を挿通自在とする軸挿通孔を形成した収容部と、基台部と収容部との間に配設され、収容部を中心軸周りに水平回動自在とする回動機構部と、からなり、収容部には、長尺束を載置自在とする載置部と、長尺束の中央開口部を挿通自在で軸挿通孔が鉛直方向に貫通した巻回柱と、を備え、巻回柱は、上方縮小の略円錐台状に形成した巻回案内部と、その縮小した上部から上方外側に傾斜して拡開した抜け止め部と、からなることを特徴とする。すなわち、可撓性を有するケーブルや電線、電線管、配管等の長尺物を巻回してドーナツ状とした長尺束の内側から長尺物を如何なる方向にも順次容易に引出せる長尺物引出し装置の提供を図ろうとするものである。
【００３９】
以下、本発明に係る長尺物引出し装置１の一実施形態について図面を参照しながら説明する。また、本説明中において左右同一又は左右対称の構造や部品については、原則として同一の符号を付し、左右何れか一方のみを説明して、他方については説明を適宜省略する。
【００４０】
なお、本発明における長尺物Ｋとは、ケーブルや電線、電線管、配管等の可撓性を有するもので適宜必要な長さに切断して使用される長尺物の全てを含むものであり、また、長尺束Ｔは、シュリンク包装Ｓされた状態で装置に装着したものとして説明している。
【００４１】
また、本説明中において特に説明しない限り長尺物引出し装置１と第二・第三長尺物引出し装置１０１，１０２とは同一構成で同義のものとし、また、特に説明しない限り長尺物引出し装置の収容部１０を回動自在とする中心軸６と、中心軸６を伸延させるための第一・第二連結中心軸６０，６１とは同義として説明している。
【００４２】
また、長尺物引出し装置１は、使用状況に応じて回転方向を任意に設定できることは言うまでもなく、また、長尺物Ｋの損傷を防止するために長尺物Ｋと接触する部位を可能な限り金属以外の材料で形成することが望ましい。
【００４３】
本発明の実施形態に係る長尺物引出し装置１は、図１〜図３に示すように、可撓性を有する長尺物Ｋを巻回して中央開口部をなすドーナツ状とした長尺束Ｔに対し、長尺束Ｔの中央開口部の内側から長尺物Ｋを順次引出すための長尺物引出し装置１であって、中心軸６を立設した基台部３と、基台部３の上方に配設され中心軸６を挿通自在とする軸挿通孔１３を形成した収容部１０と、基台部３と収容部１０との間に配設され、収容部１０を中心軸６周りに水平回動自在とする回動機構部２０と、からなり、収容部１０には、長尺束Ｔを載置自在とする載置部１１と、長尺束Ｔの中央開口部を挿通自在で軸挿通孔１３が鉛直方向に貫通した巻回柱１２と、を備え、巻回柱１２は、上方縮小の略円錐台状に形成した巻回案内部１４と、その縮小した上部から上方外側に傾斜して拡開した抜け止め部１５と、からなる。
【００４４】
基台部３は、図２、図３に示すように、長方形状の角柱材を平面視正方形状に接合して形成した枠体４の内側において各辺の中央部と連接する同じく角柱材で形成して十字状とした補強体５とで構成し、補強体５の上面中央部に円管状で下端に接続フランジ７を有する中心軸６を配設して補強体５に接続フランジ７を螺着することで立設している。
【００４５】
また、枠体４の各角部には中心軸６と直行する方向を軸線方向として回動自在に枢止されたローラー２１を有する回動機構部２０を配設している。
【００４６】
収容部１０は、平面視で基台部３よりも大きな外径で形成した円盤状で板状の載置部１１と、長尺束Ｔの中央開口部を挿通自在で軸挿通孔１３が鉛直方向に貫通した巻回柱１２からなり、巻回柱１２は、上方縮小の略円錐台状に形成した巻回案内部１４と、その縮小した上部から上方外側に傾斜して拡開した抜け止め部１５を形成しており、抜け止め部１５や巻回案内部１４は長尺物Ｋとの間で摩擦力が向上する素材や加工を施すことが望ましい。
【００４７】
なお、載置部１１の上面には、載置部１１上に装着される長尺束Ｔの位置を明示すると共に長尺束Ｔが載置部１１から離脱しないよう、巻回柱１２を介して水平方向に十字状に対向する位置に側面視Ｌ字状に形成した４つの載置基準片８０を配設しているが、本発明に係る長尺物引出し装置１では長尺物Ｋの引出し操作において長尺束Ｔに不要な負荷は掛からず載置部１１上での長尺束Ｔの移動の心配がないため特に必須の構成要素ではなく、また、載置基準片８０の形状は本実施形態に限定されず、例えば、弾性紐状物とした載置基準片を載置部１１の周縁に３点固定し、載置部１１上で巻回柱１２を囲繞するように平面視三角形状に張設して載置基準片と載置部１１との間に長尺束Ｔを装着する等してもよい。
【００４８】
また、基台部３の中心軸６の上方から収容部１０の軸挿通孔１３に中心軸６を挿入させながら下降させると載置部１１の裏面が回動機構部２０のローラー２１と当接し、収容部１０は中心軸６周りに回動自在となる。
【００４９】
そして、本実施形態に係る長尺物引出し装置１は、長尺束Ｔを載置部１１に装着して内側から長尺物Ｋを引き出せば、長尺物Ｋが巻回柱１２の上方に向かって順次巻回案内部１４に巻き付きながら絡まることなく容易に引き出すことができるものとなっている。
【００５０】
なお、抜け止め部１５は、図５に示すように、巻回案内部１４の縮小した上部から上方外側に傾斜して拡開した括れ防止部１６と、括れ防止部１６の上部から更に外側で略水平に拡開した平坦部１７とで構成してもよく、また、括れ防止部１６は、凹状の湾曲面１９に形成しても良いため、以降の説明（図４〜図１４）では本構成の抜け止め部１５を備えるものとして具体的に詳述する。
【００５１】
巻回柱１２の上端面１８は偏平に形成し、図４、図５に示すように上端面１８の上方には収容部１０と同軸の中心軸６周りに水平回動自在とした引出しガイド部２５を配設し、更にその上方には引出しガイド部２５の上方への移動を規制する基台リング３０が中心軸６に固定されている。
【００５２】
なお、基台リング３０は、使用時にガイド部２５が中心軸６から離脱したり、ガイド部２５が不安定に暴れて長尺物Ｋの引出しに支障をきたさない限り必須の構成要素ではない。
【００５３】
具体的には、引出しガイド部２５は丸棒を屈曲して形成し、中心軸６に遊嵌する平面視円環状の挿通部２６と、挿通部２６の接線と直行して外側に伸延した連結部２７と、連結部２７の先端を頂点として外側に傾斜した側面視略二等辺三角形状の長尺物挿通孔２８とで構成している。
【００５４】
また、連結部２７は巻回柱１２の上端面１８の端部近傍まで伸延し、長尺物挿通孔２８は抜け止め部１５の略水平方向外側に開口が位置するように形成している。
【００５５】
なお、長尺物挿通孔２８は、例えば、カラビナのように挿通された長尺物Ｋを中途部で挿抜自在に開閉するゲートを形成する等して作業性を向上させることもできる。
【００５６】
基台リング３０は、平面視円環状で内側に凹状の断面略コ字状とし、中心軸６の外径よりも若干だけ大きな内径で形成すると共に、基台リング３０の接線と直行方向に軸心を有する雌ネジ孔３１を穿設することで雄ネジ３２を中心軸６に付勢させて基台リング３０を中心軸６に固定させることができる。
【００５７】
このように構成することで、長尺束Ｔの内側から引き出した長尺物Ｋを長尺物挿通孔２８に挿通させ引き出し作業を開始すると、図６に示すように長尺物Ｋは巻回柱１２の上方に向かって順次巻回案内部１４に巻き付きながら収容部１０の回転と共に上昇し、上部の抜け止め部１５の位置で安定するため長尺物Ｋと巻回柱１２との間の巻回力が緩んで長尺物Ｋが下降することがない。
【００５８】
また、引出しガイド部２５を中心軸６周りに水平回動自在に形成していることで、図７（ａ）、（ｂ）に示すように、如何なる方向に対しても長尺物Ｋを確実に安定して引き出すことができ、また、当然に長尺物Ｋの引出し回転方向が時計回りや反時計回りであることに影響されるものではない。
【００５９】
また、図６に示すように、長尺物Ｋは長尺束Ｔのドーナツ状の中央開口部の上方から引き出されるため、引き出しの際に長尺物Ｋがシュリンク包装Ｓと接触することがなく、シュリンク包装Ｓの破損や長尺物Ｋの損傷を防止することができる。
【００６０】
なお、本発明に係る長尺物引出し装置１は、シュリンク包装Ｓされた長尺束Ｔが矩形箱状の段ボール箱（図示せず）内に収納された状態でも、段ボール箱の中央部を穿設すれば段ボール箱のまま載置部１１に装着できるように構成しているので、大幅な作業性の向上が図れ、更に、長尺物Ｋを引き出す際に長尺物Ｋがシュリンク包装Ｓだけでなく段ボール箱と接触することも防止できる。
【００６１】
次に、図１に示すように中心軸６に対して鉛直方向に間隙を空けて複数の長尺物引出し装置１，１０１，１０２を水平回動自在に配設した構成について説明する。
【００６２】
なお、本説明では最下段の長尺物引出し装置１は上述した構成と同様のため説明を適宜省略すると共に合計３台の長尺物引出し装置１，１０１，１０２を連設したものとして説明するが、最下段の長尺物引出し装置１の構成を他の構成と同様にしたり、全ての長尺物引出し装置１，１０１，１０２を最下段の長尺物引出し装置１の構成と同様にしたり、連設する台数を変更する等、本発明の要旨の範囲内において種々の変形・変更が可能であることは言うまでもない。
【００６３】
まず、図８に示すように、最下段の長尺物引出し装置１の上方に引出しガイド部２５と基台リング３０を配設し、その上方から中心軸６と連結する第二連結中心軸６１を挿通した第二長尺物引出し装置１０１を配設し、更にその上方に同様に引出しガイド部２５と基台リング３０を配設して上方から中心軸６と連結する第二連結中心軸６１を挿通した第三長尺物引出し装置１０２を配設することで図９に示す外観をなす。
【００６４】
また、第二・第三長尺物引出し装置１０１，１０２の載置部１１１は巻回柱１２側へ折り畳み自在に形成したものであり、使用時には図１０に示すように載置部１１１を外側に開くことで各載置部１１，１１１に長尺束Ｔを装着することができる。
【００６５】
従って、各々の長尺束Ｔの内側から長尺物Ｋを引き出して引出しガイド部２５の長尺物挿通孔２８に長尺物Ｋを挿通すれば、作業で必要な複数種類の長尺物Ｋをそれぞれ如何なる方向に対しても順次容易に引出することができることになる。
【００６６】
以下、本構成について具体的に詳述する。
【００６７】
図１１に示すように、最下段の基台部３に立設する中心軸６を巻回柱１２の中途部までの長さに形成すると共に、中心軸６の外径に近似した内径で巻回柱１２の上端面１８に至る長さに形成した円管状の第一連結中心軸６０を中心軸６に外嵌する。
【００６８】
また、各長尺物引出し装置１，１０１，１０２を鉛直方向に連結する第二連結中心軸６１は、中央部を周面に渡り帯状に突出させた凸部６２と、その上下両端に形成した嵌合部６３とで構成しており、凸部６２の外径は第一連結中心軸６０の外径と略同径とし、嵌合部６３の外径は中心軸６の外径と略同径に形成している。
【００６９】
この第二連結中心軸６１の一方の嵌合部６３を下方の第一連結中心軸６０に嵌合させ、凸部６２に引出しガイド部２５と基台リング３０を配設し、他方の嵌合部６３に第二長尺物引出し装置１０１を配設する。
【００７０】
第二長尺物引出し装置１０１の基台部１３０は、基台リング３０の上面に載置自在で中央に中心軸６を挿通自在とした平面視ドーナツ状の基台下部１３１と、基台下部１３１の上面に連接し基台下部１３１の外径よりも大きく、中央に中心軸６を挿通自在とした平面視ドーナツ状の基台上部１３２とで構成し、基台上部１３２の内周壁は、上半部の内径に対して下半部の内径を大きく形成して係合凹部１３３を形成している。
【００７１】
また、回動機構部１２０は、基台上部１３２の上面を転動自在とする複数の鋼球１２４と、平面視ドーナツ状で鋼球１２４を収容自在とした下方に凹状の受け部材１２３と、受け部材１２３と連接し基台上部１３２と摺動自在に係合する回動基部１２１とで構成している。
【００７２】
回動基部１２１は、板状部材からなり、平面視ドーナツ状で基台上部１３２と略同径に形成し、周端縁を下方に屈曲してその内側に受け部材１２３を配設すると共に、内周壁の下端を外側に屈曲して係合凸部１２２を形成している。
【００７３】
また、係合凸部１２２は、基台上部１３２に形成された係合凹部１３３に摺動自在に係合するため、基台部１３０から回動機構部１２０が脱落することなく基台上部１３２の上面で転動する複数の鋼球１２４により基台部１３０の上方で回動機構部１２０が水平回動自在となる。
【００７４】
また、回動機構部１２０の上面には上述した巻回柱１２が連設しており、巻回柱１２の下側縁には巻回柱１２を介して平面視で水平方向に十字状に対向する位置に折り畳み自在に形成した４つの載置部１１１を配設して収容部１１０を構成している。
【００７５】
具体的には、載置部１１１は、板材を屈曲して平面視コ字状に形成した可動基部１１２と、可動基部１１２の対向する２片の先端部近傍下側に介設した丸棒からなる下ストッパ１１３と、同じく可動基部１１２の対向する２片の後端部近傍上側に介設した丸棒からなる上ストッパ１１４と、可動基部１１２の対向する２片の略中央部に穿設した軸孔１１５で枢止される載置片１１６とで構成し、可動基部１１２が平面視コ字状に視認されるよう対向する２片と連接する他方の１片の外側を巻回柱１２の下側縁に接続している。
【００７６】
なお、載置部１１１は、可動基部１１２を巻回柱１２に埋設する等して外部への凹凸の出現を抑制することで接触による長尺物Ｋの損傷を防止したり、載置片１１６を折り畳んだ際に載置片１１６が巻回柱１２に略嵌合するよう巻回柱１２に凹部を形成する等してもよい。
【００７７】
載置片１１６は、図９に示すように、巻回柱１２側へ折り畳んだ際に上端が括れ防止部１６の近傍に位置する長さとなるよう丸棒を屈曲して平面視略コ字状に形成し、２つの解放端部を各々外側に屈曲して軸孔１１５に枢止連結する枢軸を形成すると共に、外側に平行に伸延する先端側を上方に緩やかに屈曲させている。
【００７８】
このように形成することで、上ストッパ１１４が載置片１１６の巻回柱１２側への折り畳み位置を規制し、下ストッパ１１３が載置片１１６の開放位置を規制することで載置部１１１を巻回柱１２側へ折り畳み自在となる。
【００７９】
なお、本実施形態では載置部１１１を巻回柱１２側へ折り畳んだ際の平面視の外径が上端面１８を含む巻回柱１２の外径と同等以下に形成することで長尺束Ｔが載置部１１１に邪魔されることなく巻回柱１２を通過させることができるように形成している。
【００８０】
上述の第二長尺物引出し装置１０１の構成は、その上に配設される第三長尺物引出し装置１０２と同様であるため、第二・第三長尺物引出し装置１０１，１０２の載置部１１１を構成する載置片１１６を折り畳んで図９に示すように構成した長尺物引出し装置１，１０１，１０２に、上方から長尺束Ｔを挿通させて最下段の長尺物引出し装置１から順次上方にかけて長尺束Ｔを装着すれば図１０、図１１に示すように長尺物Ｋの引出し作業を開始することができる。
【００８１】
また、図１１に示すように、例えば、作業途中で最下段に装着した長尺束Ｔを交換する場合は、上方の第二・第三長尺物引出し装置１０１，１０２に装着した長尺束Ｔを取り外して載置部１１１を折り畳めば交換可能であり、または、最下段の長尺物引出し装置１と第二長尺物引出し装置１０１とを連結する第二連結中心軸６１から分離すれば最下段の長尺束Ｔであっても容易に交換することができる。
【００８２】
また、例えば、作業途中で中央の第二長尺物引出し装置１０１に装着した長尺束Ｔを交換する場合は、第三長尺物引出し装置１０２に装着した長尺束Ｔを取り外して載置部１１１を折り畳めば交換可能であり、または、第二長尺物引出し装置１０１と第三長尺物引出し装置１０２とを連結する第二連結中心軸６１から第三長尺物引出し装置１０２を分離すれば第二長尺物引出し装置１０１の長尺束Ｔであっても容易に交換することができる。
【００８３】
また、本実施形態に係る長尺物引出し装置１は、図１２、図１３に示すように、天板３６と一以上の脚部３７とからなるテーブル部３５を備え、テーブル部３５は、脚部３７の一部を中心軸６の上端に係合する係合脚部３８とすることもできる。
【００８４】
具体的には、天板３６は矩形板状に形成し、脚部３７は長尺物引出し装置１の中心軸６に外嵌する下方開口で円管状の係合脚部３８を天板３６の裏面に垂設することで長尺物引出し装置１（１０１，１０２）の上方で略固定され作業テーブルとして使用することができる。
【００８５】
従って、図１３に示すように、長尺物引出し装置１（１０１，１０２）の上方にテーブル部３５を設置してもテーブル部３５に関係なく長尺物Ｋを如何なる方向に対しても順次容易に引出することができる。また、天板３６を透明な材料で形成すれば下方の長尺物引出し装置の状態を上方からでも容易に視認することができる。
【００８６】
なお、テーブル部３５は、例えば、図１４に示すように天板３６を大きな長方形状に形成し不安定な端部の裏面に床面まで到達する別途の脚部３７を垂設してテーブル部３５の安定性の向上を図ってもよく、天板３６にヒンジ等で別途の天板３６を連結して作業面積を増加させる等、本発明の要旨の範囲内において種々の変形・変更が可能である。
【００８７】
また、天板３６の上面には、図１３、図１４に示すように、載置部１１，１１１に載置された長尺束Ｔの種類等を容易に把握できるよう表示内容を変更自在に形成した表示部４０を備えることができる。
【００８８】
本実施形態に係る表示部４０は、３桁の数字を表示するために０〜９までの数字が記載された捲り式のカードを横方向に３冊並べ、これを縦方向に３行となるように天板３６上に載置することで最上段の第三長尺物引出し装置１０２に装着された長尺束Ｔの型番を一番上の行に表示し、真ん中の第二長尺物引出し装置１０１に装着された長尺束Ｔの型番を真ん中の行に表示し、最下段の長尺物引出し装置１に装着された長尺束Ｔの型番を一番下の行に表示している。
【００８９】
なお、表示部４０は、捲り式のカードに限定されるものではなく、ダイヤル式や液晶表示式であったり、天板３６に固定されたものであったり、表示する内容や桁数等が如何なるものであってもよい。
【００９０】
以上、説明したように本実施形態に係る長尺物引出し装置１，１０１，１０２は構成している。
【００９１】
このように長尺物引出し装置１（１０１，１０２）は、長尺束Ｔの中央開口部の内側から長尺物Ｋを順次引出すための装置であって、中心軸６を立設した基台部３と、基台部３の上方に配設され中心軸６を挿通自在とする軸挿通孔１３を形成した収容部１０と、基台部３と収容部１０との間に配設され、収容部１０を中心軸６周りに水平回動自在とする回動機構部２０と、からなり、収容部１０には、長尺束Ｔを載置自在とする載置部１１と、長尺束Ｔの中央開口部を挿通自在で軸挿通孔１３が鉛直方向に貫通した巻回柱１２と、を備え、巻回柱１２は、上方縮小の略円錐台状に形成した巻回案内部１４と、その縮小した上部から上方外側に傾斜して拡開した抜け止め部１５と、からなることより、長尺束Ｔの内側から長尺物Ｋを引き出す際、長尺束Ｔに負荷を掛けることなく長尺物Ｋが巻回柱１２の上方に向かって順次巻回案内部１４に巻き付きながら引き出されるため絡まることなく容易に引き出すことができる。
【００９２】
また、長尺物Ｋの引き出し操作を止めた際でも、巻回案内部１４の上方に巻回する外観視で小径の円環状を維持した長尺物Ｋがそれよりも大径の下方の巻回案内部１４に向かって若干下降することで長尺物Ｋと巻回柱１２との間で摩擦力が生じ収容部１０の回転にブレーキを掛けることになるため、巻回する長尺物Ｋの緩みを可及的に防止することができる。
【００９３】
また、使用後でもドーナツ状の長尺束Ｔが定形を維持するためシュリンク包装Ｓのまま長尺物引出し装置１から取り外すことができるので、運搬や収納のための巻き直し作業が不要となり、更に、次回使用時にそのまま使用することができる。
【００９４】
また、シュリンク包装Ｓの外箱である矩形箱状の段ボール箱の上下中央部近傍に孔を穿設すれば、段ボール箱のまま長尺物引出し装置１に装着することもできる。
【００９５】
しかも、巻回案内部１４の上部から上方外側に傾斜して拡開した抜け止め部１５により、長尺物Ｋが当該部位に挟まることがないので長尺物Ｋの外径や引出す速度によらず常に安定して容易に長尺物Ｋを引き出すことができるばかりか、如何なる方向に対しても長尺物Ｋを引き出すことができる。
【００９６】
また、抜け止め部１５は、巻回案内部１４の縮小した上部から上方外側に傾斜して拡開した括れ防止部１６と、括れ防止部１６の上部から更に外側で略水平に拡開した平坦部１７と、からなることより、当該部位への長尺物Ｋの挟まりを防止できるだけでなく離脱することなく巻回柱１２よりも上方に長尺物Ｋを安定して引き出すことができる。
【００９７】
また、括れ防止部１６は、凹状の湾曲面１９としたことより、当該部位での長尺物Ｋと巻回案内部１４との接触面積が増加し巻回柱１２との馴染みも良くなるため、長尺物Ｋを引き出す際の摩擦力を巻回柱１２に伝播し易くなり収容部１０のよりスムーズな回転に寄与することができる。
【００９８】
また、湾曲面１９とすることで長尺物Ｋを引き出す際に局所的で過大な負荷を与えないため長尺物Ｋの損傷を防止することができる。
【００９９】
また、抜け止め部１５の略水平方向外側には、中心軸６周りに水平回動自在に形成した引出しガイド部２５が備える長尺物挿通孔２８が位置するよう構成したことより、途中で長尺物Ｋの引出しを中断しても巻回柱１２の上部で長尺物Ｋを待機させることができるので、長尺物Ｋと巻回柱１２との間の巻回力が緩んで長尺物Ｋが下降することがないため長尺物Ｋの引出しを再開しても長尺物Ｋと巻回柱１２との間の巻回力を維持したままスムーズな引出しを行うことができる。
【０１００】
また、離脱することなく巻回柱１２よりも上方に長尺物Ｋを確実に安定して引き出すことができ、更に、如何なる方向に対しても長尺物Ｋを確実に安定して引き出すことができる。
【０１０１】
また、中心軸６に対して鉛直方向に間隙を空けて複数の長尺物引出し装置１（１０１，１０２）を水平回動自在に配設したことより、作業で必要な複数種類の長尺物Ｋを各々装着することで各長尺物Ｋをそれぞれ如何なる方向にも順次容易に引出することができるため作業性を大幅に向上させることができる。
【０１０２】
また、載置部１１１は、巻回柱１２側へ折り畳み自在に形成したことより、未使用の際の収容時の嵩張りを防止でき、更に、中心軸６に沿って鉛直方向に複数の長尺物引出し装置１（１０１，１０２）を配設して使用する場合、載置部１１１を折り畳んだ長尺物引出し装置１０１，１０２の平面外径が長尺束Ｔの中央開口部の内径よりも小さく形成していれば、鉛直方向に複数の長尺物引出し装置１（１０１，１０２）を配設した後、長尺束Ｔを上方から挿通させて下方の長尺物引出し装置１から順次上方にかけて長尺束Ｔを装着することができるので準備時間の大幅な削減を行うことができる。
【０１０３】
更に、天板３６と一以上の脚部３７とからなるテーブル部３５を備え、テーブル部３５は、脚部３７の一部を中心軸６の上端に係合する係合脚部３８としたことより、配線図等の作業時に必要な資料等を天板３６に載置することができるので新たな作業スペースを別途に準備することなく容易に作業スペースを確保することができる。
【０１０４】
しかも、天板３６の上面には、載置部１１，１１１に載置された長尺束Ｔの種類等を容易に把握できるよう表示内容を変更自在に形成した表示部４０を備えたことより、作業中の長尺束Ｔの種類等を失念しても容易に確認することができ、更に、作業途中で長尺束Ｔを変更しても容易に表示内容を変更でき、しかも、これらの作業を一人で行うことができるので作業性を向上させることができる。
【０１０５】
なお、本実施形態に係る長尺物引出し装置１は、図２に示す収容部１０の代わりにボビンを有するケーブルドラムを配設し、その上部に長尺物引出し装置１０１、（１０２）を配設したり、運搬用台車を反転させることで上方に現出したキャスター等を回動機構部２０として用いたりすることもできる。
【０１０６】
以上、本発明の本実施形態に係る長尺物引出し装置１，１０１，１０２の好ましい実施形態について説明したが、本発明は特定の実施形態に限定されるものではなく、種々の変形・変更が可能である。
【符号の説明】
【０１０７】
Ｋ  長尺物
Ｔ  長尺束
１  長尺物引出し装置
３  基台部
６  中心軸
１０  収容部
１１  載置部
１２  巻回柱
１３  軸挿通孔
１４  巻回案内部
１５  抜け止め部
１６  括れ防止部
１７  平坦部
１９  湾曲面
２０  回動機構部
２５  引出しガイド部
２８  長尺物挿通孔
３５  テーブル部
３６  天板
３７  脚部
３８  係合脚部
４０  表示部
１０１  第二長尺物引出し装置
１０２  第三長尺物引出し装置
１１１  載置部
【要約】
【課題】可撓性を有するケーブルや電線、電線管、配管等の長尺物を巻回してドーナツ状とした長尺束の内側から長尺物を如何なる方向にも順次容易に引出せる長尺物引出し装置を提供する。
【解決手段】本発明に係る長尺物引出し装置は、長尺束Ｔの中央開口部の内側から長尺物Ｋを順次引出すための装置であって、中心軸６を立設した基台部３と、基台部３の上方に配設され中心軸６を挿通自在とする軸挿通孔１３を形成した収容部１０と、基台部３と収容部１０との間に配設され収容部１０を中心軸６周りに水平回動自在とする回動機構部２０と、からなり、収容部１０には、長尺束Ｔを載置自在とする載置部１１と、長尺束Ｔの中央開口部を挿通自在で軸挿通孔１３が鉛直方向に貫通した巻回柱１２と、を備え、巻回柱１２は、上方縮小の略円錐台状に形成した巻回案内部１４と、その縮小した上部から上方外側に傾斜して拡開した抜け止め部１５と、からなることを特徴とする。
【選択図】図１【図１】
0006691261.tif 000002
【図２】
0006691261.tif 000003
【図３】
0006691261.tif 000004
【図４】
0006691261.tif 000005
【図５】
0006691261.tif 000006
【図６】
0006691261.tif 000007
【図７】
0006691261.tif 000008
【図８】
0006691261.tif 000009
【図９】
0006691261.tif 000010
【図１０】
0006691261.tif 000011
【図１１】
0006691261.tif 000012
【図１２】
0006691261.tif 000013
【図１３】
0006691261.tif 000014
【図１４】
0006691261.tif 000015